(57)【要約】【課題】室内ファンから吹き出して突条壁部の内面に当たった空気を整流して室内熱交換器側に流す。【解決手段】室内ユニットは、ケーシング（22）と、ケーシング（22）内に設けられ、吹出口（33）が形成された室内ファン（27）と、ケーシング（22）内に室内ファン（27）の周囲を囲むように設けられた室内熱交換器（32）と、ケーシング（22）の天板（23）に設けられた天板側断熱部（38a）と、天板側断熱部（38a）における室内熱交換器（32）に対応する部分に下側に突設された突条壁部（38d）とを有する断熱部材（38）とを備える。室内熱交換器（32）と突条壁部（38d）とは、室内ファン（27）の吹出口（33）に対応する位置において接触する。突条壁部（38d）の内面は、横断面視において外側に膨出する湾曲形状に形成されている。【選択図】図３
2014215022.tif 000002
【特許請求の範囲】
【請求項１】
天井（U）に設けられる空気調和機の室内ユニットであって、
ケーシング（22）と、
上記ケーシング（22）内に設けられ、吹出口（33）が形成された室内ファン（27）と、
上記ケーシング（22）内に上記室内ファン（27）の周囲を囲むように設けられた室内熱交換器（32）と、
上記ケーシング（22）の天板（23）に設けられた天板側断熱部（38a）と、該天板側断熱部（38a）における上記室内熱交換器（32）に対応する部分に下側に突設された突条壁部（38d）とを有する断熱部材（38）とを備え、
上記室内熱交換器（32）と上記突条壁部（38d）とは、上記室内ファン（27）の吹出口（33）に対応する位置において接触し、
上記突条壁部（38d）の内面は、上記室内ファン（27）の吹出口（33）から吹き出して該内面に当たった空気が整流されて上記室内熱交換器（32）側に流れるような形状に形成されていることを特徴とする空気調和機の室内ユニット。
【請求項２】
請求項１において、
上記突条壁部（38d）の内面は、断面視において外側に膨出する湾曲形状に形成されていることを特徴とする空気調和機の室内ユニット。
【請求項３】
請求項１又は２において、
上記突条壁部（38d）の内面は、断面視において上記室内熱交換器（32）の内面と段差なく連続していることを特徴とする空気調和機の室内ユニット。
【請求項４】
請求項１乃至３の何れか１つにおいて、
上記突条壁部（38d）は、断面視において先端側から基端側に行くに従って末広がりに形成されていることを特徴とする空気調和機の室内ユニット。
【請求項５】
請求項１乃至４の何れか１つにおいて、
上記室内熱交換器（32）の内面と上記突条壁部（38d）の内面における上記室内ファン（27）の吹出口（33）に対応する部分とは、周方向の同じ位置において該吹出口（33）との間の距離が略同一であることを特徴とする空気調和機の室内ユニット。
【発明の詳細な説明】
【技術分野】
【０００１】
本発明は、天井に設けられる空気調和機の室内ユニットに関するものである。
【背景技術】
【０００２】
天井に設けられる空気調和機の室内ユニットが従来技術として知られている。
【０００３】
例えば、特許文献１の室内ユニットは、ケーシングと、このケーシング内に設けられた室内ファンと、ケーシング内に室内ファンの周囲を囲むように設けられた室内熱交換器と、この室内熱交換器の内面に突設された整流板とを備えている。この整流板は、上端部が下端部よりも室内ファンの吹出方向下流側に位置するように配置されている。この構成により、空気が室内熱交換器に案内されると共にその流速が低減し、所謂風切り音を低減できる。また、整流板は、上下方向中間部が室内ファンの回転軸方向に対して傾く傾斜部で構成されている。この構成により、整流板全体として、室内ファンとの間の距離が遠くなり、吹出空気と整流板との干渉が少なくなることにより、所謂ＮＺ音を低減できる。
【先行技術文献】
【特許文献】
【０００４】
【特許文献１】特開２００３−２６９７３８号公報
【発明の概要】
【発明が解決しようとする課題】
【０００５】
ところで、室内熱交換器を小型化した場合、その高さ不足を補うために、ケーシングの天板に設けられた断熱部材における室内熱交換器と対応する部分に突条壁部を下側に突設することが考えられる。こうすると、室内熱交換器が通常サイズである室内ユニットとの間で、室内熱交換器以外の部品を共通化できる。
【０００６】
ここに、室内熱交換器と突条壁部とを室内ファンの吹出口に対応する位置において接触させると、該吹出口から吹き出した空気の一部が突条壁部の内面に当たる。このとき、突条壁部の内面形状によっては、該内面に当たって室内熱交換器側に流れる空気の流れが乱流になるという問題がある。                            
【０００７】
本発明は、かかる点に鑑みてなされたものであり、その目的は、室内ファンから吹き出して突条壁部の内面に当たった空気を整流して室内熱交換器側に流すことにある。
【課題を解決するための手段】
【０００８】
第１の発明は、天井（U）に設けられる空気調和機の室内ユニットであって、ケーシング（22）と、上記ケーシング（22）内に設けられ、吹出口（33）が形成された室内ファン（27）と、上記ケーシング（22）内に上記室内ファン（27）の周囲を囲むように設けられた室内熱交換器（32）と、上記ケーシング（22）の天板（23）に設けられた天板側断熱部（38a）と、該天板側断熱部（38a）における上記室内熱交換器（32）に対応する部分に下側に突設された突条壁部（38d）とを有する断熱部材（38）とを備え、上記室内熱交換器（32）と上記突条壁部（38d）とは、上記室内ファン（27）の吹出口（33）に対応する位置において接触し、上記突条壁部（38d）の内面は、上記室内ファン（27）の吹出口（33）から吹き出して該内面に当たった空気が整流されて上記室内熱交換器（32）側に流れるような形状に形成されていることを特徴とするものである。
【０００９】
第１の発明では、突条壁部（38d）の内面が、室内ファン（27）の吹出口（33）から吹き出して該内面に当たった空気が整流されて室内熱交換器（32）側に流れるような形状に形成されている。
【００１０】
第２の発明は、上記第１の発明において、上記突条壁部（38d）の内面は、断面視において外側に膨出する湾曲形状に形成されていることを特徴とするものである。
【００１１】
第２の発明では、突条壁部（38d）の内面が、断面視において外側に膨出する湾曲形状に形成されている。
【００１２】
第３の発明は、上記第１又は第２の発明において、上記突条壁部（38d）の内面は、断面視において上記室内熱交換器（32）の内面と段差なく連続していることを特徴とするものである。
【００１３】
第３の発明では、突条壁部（38d）の内面が、断面視において室内熱交換器（32）の内面と段差なく連続している。
【００１４】
第４の発明は、上記第１乃至第３の何れか１つの発明において、上記突条壁部（38d）は、断面視において先端側から基端側に行くに従って末広がりに形成されていることを特徴とするものである。
【００１５】
第４の発明では、突条壁部（38d）が、断面視において先端側から基端側に行くに従って末広がりに形成されているので、突条壁部（38d）の基端部の強度が高くなる。
【００１６】
第５の発明は、上記第１乃至第４の何れか１つの発明において、上記室内熱交換器（32）の内面と上記突条壁部（38d）の内面における上記室内ファン（27）の吹出口（33）に対応する部分とは、周方向の同じ位置において該吹出口（33）との間の距離が略同一であることを特徴とするものである。
【００１７】
第５の発明では、室内熱交換器（32）の内面と突条壁部（38d）の内面における室内ファン（27）の吹出口（33）に対応する部分とが、周方向の同じ位置において該吹出口（33）との間の距離が略同一であるので、室内ファン（27）の吹出口（33）と突条壁部（38d）の内面における該吹出口（33）に対応する部分との間の距離が遠くなる。
【発明の効果】
【００１８】
本発明によれば、突条壁部（38d）の内面に当たった空気を該内面により整流して室内熱交換器（32）側に流すことができる。
【００１９】
また、上記第２の発明によれば、突条壁部（38d）の内面に当たった空気を湾曲形状の該内面により確実に整流して室内熱交換器（32）側に流すことができる。
【００２０】
また、上記第３の発明によれば、室内熱交換器（32）の内面との間に段差がある場合と比較して、突条壁部（38d）の内面に当たった空気を室内熱交換器（32）に確実に到達させることができる。
【００２１】
また、上記第４の発明によれば、突条壁部（38d）の基端部の強度が高くなる。このため、室内ユニット本体（21）の製造時において、ケーシング（22）を上下逆さまの状態にして、室内熱交換器（32）を突条壁部（38d）に載置支持するときに、その支持剛性を高めることができる。
【００２２】
また、上記第５の発明によれば、室内ファン（27）の吹出口（33）と突条壁部（38d）の内面における該吹出口（33）に対応する部分との間の距離が遠くなる。このため、ＮＺ音を低減できる。
【図面の簡単な説明】
【００２３】
【図１】図１は、実施形態に係る空気調和機の冷媒回路の構成を示す概略の配管系統図である。
【図２】図２は、実施形態に係る室内ユニットの外観を示す斜視図である。
【図３】図３は、実施形態に係る室内ユニットの内部構造を示す縦断面図である。
【図４】図４は、実施形態に係る室内ユニットの内部を天板側から視た平面図である。
【発明を実施するための形態】
【００２４】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２５】
本発明の実施形態は、室内の冷房及び暖房を行う空気調和機（10）である。図１に示すように、空気調和機（10）は、室外に設置される室外ユニット（11）と、室内に設置される室内ユニット（20）とを有する。室外ユニット（11）と室内ユニット（20）とは、２本の連絡配管（2,3）によって互いに接続される。これにより、空気調和機（10）では、冷媒回路（C）が構成される。冷媒回路（C）では、充填された冷媒が循環することで、蒸気圧縮式の冷凍サイクルが行われる。
【００２６】
〈冷媒回路の構成〉
室外ユニット（11）には、圧縮機（12）、室外熱交換器（13）、室外膨張弁（14）、及び四方切換弁（15）が設けられる。圧縮機（12）は、低圧の冷媒を圧縮し、圧縮後の高圧の冷媒を吐出する。圧縮機（12）では、スクロール式、ロータリ式等の圧縮機構が圧縮機モータ（12a）によって駆動される。圧縮機モータ（12a）は、インバータ装置によって、その回転数（運転周波数）が可変に構成されている。
【００２７】
室外熱交換器（13）は、フィン・アンド・チューブ式の熱交換器である。室外熱交換器（13）の近傍には、室外ファン（16）が設置される。室外熱交換器（13）では、室外ファン（16）が搬送する空気と冷媒とが熱交換する。室外ファン（16）は、室外ファンモータ（16a）によって駆動されるプロペラファンによって構成される。室外ファンモータ（16a）は、インバータ装置によって、その回転数が可変に構成される。
【００２８】
室外膨張弁（14）は、開度が可変な電子膨張弁で構成される。四方切換弁（15）は、第１から第４までのポートを有している。四方切換弁（15）では、第１ポートが圧縮機（12）の吐出側に接続し、第２ポートが圧縮機（12）の吸入側に接続し、第３ポートが室外熱交換器（13）のガス側端部に接続し、第４ポートがガス側閉鎖弁（5）に接続している。四方切換弁（15）は、第１状態（図１の実線で示す状態）と第２状態（図１の破線で示す状態）とに切り換わる。第１状態の四方切換弁（15）では、第１ポートと第３ポートが連通し且つ第２ポートと第４ポートが連通する。第２状態の四方切換弁（15）では、第１ポートと第４ポートが連通し且つ第２ポートと第３ポートが連通する。
【００２９】
２本の連絡配管は、液連絡配管（2）及びガス連絡配管（3））によって構成される。液連絡配管（2）は、一端が液側閉鎖弁（4）に接続され、他端が室内熱交換器（32）の液側端部に接続される。ガス連絡配管（3）は、一端がガス側閉鎖弁（5）に接続され、他端が室内熱交換器（32）のガス側端部に接続される。
【００３０】
室内ユニット（20）には、室内熱交換器（32）と室内膨張弁（39）とが設けられる。室内熱交換器（32）は、フィン・アンド・チューブ式の熱交換器である。室内熱交換器（32）の近傍には、室内ファン（27）が設置される。室内ファン（27）は、室内ファンモータ（27a）によって駆動される遠心式の送風機である。室内ファンモータ（27a）は、インバータ装置によって、その回転数が可変に構成されている。室内膨張弁（39）は、冷媒回路（C）において室内熱交換器（32）の液端部側に接続される。室内膨張弁（39）は、開度が可変な電子膨張弁で構成される。
【００３１】
〈室内ユニットの詳細構造〉
空気調和機（10）の室内ユニット（20）の詳細構造について図２〜図４を参照しながら説明する。本実施形態の室内ユニット（20）は、天井埋込式に構成されている。つまり、室内ユニット（20）は、図３に示すように、室内空間（Ｒ）に面する天井（U）の開口部（O）に嵌め込まれて取り付けられる。室内ユニット（20）は、室内ユニット本体（21）と、該室内ユニット本体（21）の下部に取り付けられる化粧パネル（40）とを有している。
【００３２】
−室内ユニット本体−
図２及び図３に示すように、室内ユニット本体（21）は、略直方体形状の箱形のケーシング（22）を有している。ケーシング（22）は、平面視において略正方形状の天板（23）と、該天板（23）の周縁部から下方に延びる略矩形状の４枚の側板（24）とを有し、下面に開口が形成されている。図２に示すように、４つの側板（24）のうちの１つの側板（24a）には、縦長の箱形の電装品箱（25）が取り付けられる。また、この側板（24a）には、室内熱交換器（32）と接続する液側接続管（6）とガス側接続管（7）とが貫通している。液側接続管（6）には、液連絡配管（2）が接続され、ガス側接続管（7）には、ガス連絡配管（3）が接続される。
【００３３】
ケーシング（22）の内部には、室内ファン（27）と、ベルマウス（31）と、室内熱交換器（32）と、ドレンパン（36）とが収容されている。
【００３４】
図３及び図４に示すように、室内ファン（27）は、ケーシング（22）の内部中央に配置されている。室内ファン（27）は、室内ファンモータ（27a）と、ハブ（28）と、シュラウド（29）と、羽根車（30）とを有している。室内ファンモータ（27a）は、ケーシング（22）の天板（23）に支持されている。ハブ（28）は、室内ファンモータ（27a）の回転駆動される駆動軸（27b）の下端に固定されている。ハブ（28）は、室内ファンモータ（27a）の径方向外方に形成される環状の基部（28a）と、該基部（28a）の内周縁部から下方に膨出する中央膨出部（28b）とを有している。
【００３５】
シュラウド（29）は、ハブ（28）の基部（28a）に対向するように、該基部（28a）の下側に配置される。シュラウド（29）の下部には、ベルマウス（31）の内部と連通する円形の中央吸込口（29a）が形成される。ハブ（28）の外周縁とシュラウド（29）の外周縁との間には、吹出口（33）が形成される。羽根車（30）は、ハブ（28）とシュラウド（29）との間の羽根収容空間（29b）に配置されている。羽根車（30）は、駆動軸（27b）の回転方向に沿うように配列された複数のターボ翼（30a）によって構成されている。
【００３６】
ベルマウス（31）は、室内ファン（27）の下側に配置されている。ベルマウス（31）は、上端及び下端にそれぞれ円形の開口を有し、化粧パネル（40）に向かうにつれて開口面積が拡大した筒状に形成される。ベルマウス（31）の内部空間（31a）は、室内ファン（27）の羽根収容空間（29b）に連通している。
【００３７】
室内熱交換器（32）は、室内ファン（27）の周囲を囲むように冷媒配管（伝熱管）が曲げられて配設されている。室内熱交換器（32）は、上方に起立するようにドレンパン（36）の上面に設置されている。室内熱交換器（32）の内面及び外面は、横断面視において鉛直に形成されている。室内熱交換器（32）の上端面は、水平に形成されている。室内熱交換器（32）には、室内ファン（27）の吹出口（33）から側方へ吹き出された空気が通過する。室内熱交換器（32）は、冷房運転時に空気を冷却する蒸発器を構成し、暖房運転時に空気を加熱する凝縮器（放熱器）を構成する。室内熱交換器（32）は、小型の熱交換器である。具体的に、室内熱交換器（32）の冷媒配管は、例えば、２列１２段に配置されている。なお、室内熱交換器（32）の内面は図示しないフィンの室内ファン（27）側の端辺で、その外面はフィンの室内ファン（27）とは反対側の端辺で、その上端面はフィンの上辺で、それぞれ構成される。
【００３８】
室内熱交換器（32）の下側には、ドレンパン（36）が配置される。ドレンパン（36）は、内壁部（36a）と外壁部（36b）と水受部（36c）とを有している。内壁部（36a）は、室内熱交換器（32）の内周縁部に沿って形成され、上方に立設する環状の縦壁によって構成される。外壁部（36b）は、ケーシング（22）の４枚の側板（24）に沿って形成され、上方に立設する環状の縦壁によって構成される。水受部（36c）は、内壁部（36a）と外壁部（36b）との間に形成され、室内熱交換器（32）で発生した凝縮水を回収するための溝によって構成される。また、ドレンパン（36）の外壁部（36b）には、各々が４枚の側板（24）に沿って延びる４つの本体側吹出流路（37）が上下に貫通して形成される。各本体側吹出流路（37）は、室内熱交換器（32）の下流側の空間と、化粧パネル（40）の４つのパネル側吹出流路（43）とを連通させる。
【００３９】
また、室内ユニット本体（21）の内面には、本体側断熱部材（38）が設けられている。本体側断熱部材（38）は、下側が開放する略箱状に形成される。本体側断熱部材（38）は、ケーシング（22）の天板（23）の下面に沿って形成される天板側断熱部（38a）と、ケーシング（22）の側板（24）の内面に沿って形成される側板側断熱部（38b）とを有している。天板側断熱部（38a）の中央部には、室内ファンモータ（27a）の上端部が貫通する円形の貫通穴（38c）が形成される。側板側断熱部（38b）は、ドレンパン（36）の外壁部（36b）のうち本体側吹出流路（37）の外側部位に設置される。
【００４０】
図３に示すように、本体側断熱部材（38）は、天板側断熱部（38a）における室内熱交換器（32）に対応する部分に下側に突設された突条壁部（38d）をさらに有している。この突条壁部（38d）により、室内熱交換器（32）が小型化した分の、その高さ不足を補うことができる。これにより、室内熱交換器（32）が通常サイズの室内ユニット（20）との間で、室内熱交換器（32）以外の部品を共通化できる。
【００４１】
突条壁部（38d）は、室内ファン（27）の上部を囲むように設けられている。突条壁部（38d）の先端面（下端面）と室内熱交換器（32）の上端面とは、室内ファン（27）の吹出口（33）の上部に対応する高さ位置において接触している。つまり、突条壁部（38d）の先端側の内面（室内ファン（27）側の面）は、室内ファン（27）の吹出口（33）に対して、該吹出口（33）からの空気の吹出方向の外方（径方向外方）に位置している。これにより、室内ファン（27）の吹出口（33）から吹き出された空気のうち、該吹出口（33）の上端部から吹き出された風速が最も速い空気が突条壁部（38d）の内面に当たる。突条壁部（38d）は、室内熱交換器（32）と共にケーシング（22）内を内側（室内ファン（27）側）と外側（室内ファン（27）とは反対側）とに区画している。
【００４２】
突条壁部（38d）の内面は、室内ファン（27）の吹出口（33）から吹き出して該内面に当たった空気が整流されて室内ファンモータ（27a）側（上側）と室内熱交換器（32）側（下側）とに分流されるように滑らかな形状に形成されている。具体的に、突条壁部（38d）の内面は、横断面視において外側（室内ファン（27）とは反対側）且つ上側に膨出（突出）する湾曲形状に形成されている。つまり、突条壁部（38d）の内面は、横断面視において下側に行くに従って外側に曲線的に傾斜する傾斜形状に形成されている。
【００４３】
突条壁部（38d）の内面は、横断面視において室内熱交換器（32）の内面と段差なく連続している。突条壁部（38d）の内面における室内ファン（27）の吹出口（33）に対応する部分と室内熱交換器（32）の内面とは、周方向（延長方向）の同じ位置において該吹出口（33）との間の距離が略同一である。
【００４４】
突条壁部（38d）の外面（室内ファン（27）とは反対側の面）は、横断面視において室内熱交換器（32）の外面よりも外側に位置している。突条壁部（38d）の外面は、横断面視において下側に行くに従って内側に直線的に傾斜している。
【００４５】
突条壁部（38d）は、上述の如く、内面が湾曲形状に形成される一方、外面が下側に行くに従って内側に傾斜することで、横断面視において先端側から基端側に行くに従って末広がりに形成されている。
【００４６】
突条壁部（38d）の先端面は、水平に形成されている。突条壁部（38d）の先端面は、室内ユニット本体（21）の製造時において、ケーシング（22）を上下逆さまの状態にしたときに、室内熱交換器（32）を載置支持する。
【００４７】
−化粧パネル−
化粧パネル（40）は、ケーシング（22）の下面に取り付けられる。化粧パネル（40）は、パネル本体（41）と吸込グリル（60）とを備えている。
【００４８】
パネル本体（41）は、平面視において矩形の枠状に形成されている。パネル本体（41）には、１つのパネル側吸込流路（42）と、４つのパネル側吹出流路（43）とが形成される。
【００４９】
図３に示すように、パネル側吸込流路（42）は、パネル本体（41）の中央部に形成されている。パネル側吸込流路（42）の下端には、室内空間（Ｒ）に臨む吸込口（42a）が形成される。パネル側吸込流路（42）は、吸込口（42a）とベルマウス（31）の内部空間（31a）とを連通させる。パネル側吸込流路（42）には、枠状の内側パネル部材（44）が内嵌している。また、パネル側吸込流路（42）の内部には、吸込口（42a）から吸い込んだ空気中の塵埃を捕捉する集塵フィルタ（45）が設けられる。
【００５０】
各パネル側吹出流路（43）は、パネル側吸込流路（42）の周囲を囲むように、該パネル側吸込流路（42）の外側に形成される。各パネル側吹出流路（43）は、各パネル側吸込流路（42）の四辺に沿ってそれぞれ延びている。各パネル側吹出流路（43）の下端には、室内空間（R）に臨む吹出口（43a）がそれぞれ形成される。各パネル側吹出流路（43）は、対応する吹出口（43a）と、対応する本体側吹出流路（37）とを連通させる。
【００５１】
図３に示すように、パネル側吹出流路（43）の内側（パネル本体（41）の中央部側）には、内側断熱部（46）が設けられている。また、パネル側吹出流路（43）の外側（パネル本体（41）の外縁部側）には、外側断熱部（47）が設けられている。内側断熱部（46）及び外側断熱部（47）の上面には、パネル本体（41）とドレンパン（36）との間に介設される内側シール部材（48）が設けられる。
【００５２】
外側断熱部（47）の内縁部には、外側パネル部材（49）が内嵌している。外側パネル部材（49）は、本体側吹出流路（37）の外壁面に沿って形成される隔壁部（50）と、該隔壁部（50）の下端部からパネル本体（41）の外縁部に向かって延出する延出部（51）とを有している。延出部（51）は、天井（Ｕ）の下面に沿った矩形枠状に形成されている。延出部（51）の上面には、該延出部（51）と天井（Ｕ）の間に介設される外側シール部材（52）が設けられる。
【００５３】
また、各本体側吹出流路（37）には、本体側吹出流路（37）を流れる空気（吹出空気）の風向を調節するための風向調節羽根（53）が設けられている。風向調節羽根（53）は、ケーシング（22）の側板（24）に沿うように本体側吹出流路（37）の長手方向の一端から他端に亘って形成される。風向調節羽根（53）は、その長手方向に延びる回動軸（53a）を軸心として回動自在に構成される。
【００５４】
吸込グリル（60）は、パネル側吸込流路（42）の下端（即ち、吸込口（42a））に取り付けられる。吸込グリル（60）は、吸込口（42a）に面するグリル本体（61）と、グリル本体（61）から各吹出口（43a）側に向かって外側に延出する矩形状の延長部（65）とを有している。グリル本体（61）は、平面視において略正方形状に形成されている。グリル本体（61）の中央部には、多数の吸込孔（63）が格子状に配列される。これらの吸込孔（63）は、グリル本体（61）を厚さ方向（上下方向）に貫通する貫通孔によって構成される。吸込孔（63）は、その開口断面の形状が正方形状に形成される。
【００５５】
吸込グリル（60）の延長部（65）は、グリル本体（61）から吹出口（43a）に向かって外方に延出する矩形枠状に形成される。延長部（65）は、内側断熱部（46）の下面と重なるように、パネル本体（41）と上下方向にオーバーラップしている。また、延長部（65）の側方端部は、吹出口（43a）の内側縁部よりも吸込口（42a）寄りにシフトしている。
【００５６】
−運転動作−
次いで、本実施形態に係る空気調和機（10）の運転動作について説明する。空気調和機（10）では、冷房運転と暖房運転とが切り換えて行われる。
【００５７】
〈冷房運転〉
冷房運転では、図１に示す四方切換弁（15）が実線で示す状態となり、圧縮機（12）、室内ファン（27）、室外ファン（16）が運転状態となる。これにより、冷媒回路（C）では、室外熱交換器（13）が凝縮器となり、室内熱交換器（32）が蒸発器となる冷凍サイクルが行われる。
【００５８】
具体的には、圧縮機（12）で圧縮された高圧冷媒は、室外熱交換器（13）を流れ、室外空気と熱交換する。室外熱交換器（13）では、高圧冷媒が室外空気へ放熱して凝縮する。室外熱交換器（13）で凝縮した冷媒は、室内ユニット（20）へ送られる。室内ユニット（20）では、冷媒が室内膨張弁（39）で減圧された後、室内熱交換器（32）を流れる。
【００５９】
室内ユニット（20）では、室内空気が吸込口（42a）、パネル側吸込流路（42）、ベルマウス（31）の内部空間（31a）を順に上方に流れ、室内ファン（27）の羽根収容空間（29b）へ吸い込まれる。羽根収容空間（29b）の空気は、羽根車（30）によって搬送され、ハブ（28）とシュラウド（29）の間の吹出口（33）から径方向外方へ吹き出される。この空気のうち一部は、突条壁部（38d）の内面に当たり、残りは、室内熱交換器（32）を直接通過する。突条壁部（38d）の内面に当たった空気は、滑らかな湾曲形状の該内面により整流されて、その内面に沿って室内ファンモータ（27a）側と室内熱交換器（32）側とに分流する。室内ファンモータ（27a）側に流れた空気は、該室内ファンモータ（27a）を冷却する。室内熱交換器（32）側に流れた空気は、室内熱交換器（32）に到達すると、該室内熱交換器（32）を通過する。室内熱交換器（32）を通過した空気は、冷媒と熱交換する。室内熱交換器（32）では、冷媒が室内空気から吸熱して蒸発し、空気が冷媒によって冷却される。
【００６０】
室内熱交換器（32）で冷却された空気は、各本体側吹出流路（37）に分流した後、パネル側吹出流路（43）を下方に流れ、吹出口（43a）より室内空間（R）へ供給される。また、室内熱交換器（32）で蒸発した冷媒は、圧縮機（12）に吸入され再び圧縮される。    
【００６１】
〈暖房運転〉
暖房運転では、図１に示す四方切換弁（15）が破線で示す状態となり、圧縮機（12）、室内ファン（27）、室外ファン（16）が運転状態となる。これにより、冷媒回路（C）では、室内熱交換器（32）が凝縮器となり、室外熱交換器（13）が蒸発器となる冷凍サイクルが行われる。
【００６２】
具体的には、圧縮機（12）で圧縮された高圧冷媒は、室内ユニット（20）の室内熱交換器（32）を流れる。室内ユニット（20）では、室内空気が吸込口（42a）、パネル側吸込流路（42）、ベルマウス（31）の内部空間（31a）を順に上方に流れ、室内ファン（27）の羽根収容空間（29b）へ吸い込まれる。羽根収容空間（29b）の空気は、羽根車（30）によって搬送され、ハブ（28）とシュラウド（29）の間から径方向外方へ吹き出される。この空気のうち一部は、突条壁部（38d）の内面に当たり、残りは、室内熱交換器（32）を直接通過する。突条壁部（38d）の内面に当たった空気は、滑らかな湾曲形状の該内面により整流されて、その内面に沿って室内ファンモータ（27a）側と室内熱交換器（32）側とに分流する（図３に示す矢印を参照）。室内ファンモータ（27a）側に流れた空気は、該室内ファンモータ（27a）を冷却する。室内熱交換器（32）側に流れた空気は、室内熱交換器（32）に到達すると、該室内熱交換器（32）を通過する。室内熱交換器（32）を通過した空気は、冷媒と熱交換する。室内熱交換器（32）では、冷媒が室内空気へ放熱して凝縮し、空気が冷媒によって加熱される。
【００６３】
室内熱交換器（32）で加熱された空気は、各本体側吹出流路（37）に分流した後、本体側吹出流路（43）を下方に流れ、吹出口（43a）より室内空間（R）へ供給される。また、室内熱交換器（32）で凝縮した冷媒は、室外膨脹弁（14）で減圧された後、室外熱交換器（13）を流れる。室外熱交換器（13）では、冷媒が室外空気から吸熱して蒸発する。室外熱交換器（13）で蒸発した冷媒は、圧縮機（12）に吸入され再び圧縮される。
【００６４】
−実施形態の効果−
以上により、本実施形態によれば、突条壁部（38d）の内面が、室内ファン（27）の吹出口（33）から吹き出して該内面に当たった空気が整流されて室内熱交換器（32）側に流れるような形状、具体的に、横断面視において外側且つ上側に膨出する湾曲形状に形成されているので、その内面に当たった空気を湾曲形状の該内面により確実に整流して室内熱交換器（32）側に流すことができる。
【００６５】
また、突条壁部（38d）の内面が、横断面視において室内熱交換器（32）の内面と段差なく連続しているので、室内熱交換器（32）の内面との間に段差がある場合と比較して、突条壁部（38d）の内面に当たった空気を室内熱交換器（32）に確実に到達させることができる。
【００６６】
また、突条壁部（38d）が、横断面視において先端側から基端側に行くに従って末広がりに形成されているので、突条壁部（38d）の基端部の強度が高くなる。このため、室内ユニット本体（21）の製造時において、ケーシング（22）を上下逆さまの状態にして、室内熱交換器（32）を突条壁部（38d）に載置支持するときに、その支持剛性を高めることができる。
【００６７】
また、室内熱交換器（32）の内面と突条壁部（38d）の内面における室内ファン（27）の吹出口（33）に対応する部分とが、周方向の同じ位置において該吹出口（33）との間の距離が略同一であるので、室内ファン（27）の吹出口（33）と突条壁部（38d）の内面における該吹出口（33）に対応する部分との間の距離が遠くなる。このため、ＮＺ音を低減できる。
【００６８】
《その他の実施形態》
上記実施形態については、以下のような構成としてもよい。
【００６９】
上記実施形態では、突条壁部（38d）の内面を湾曲形状に形成したが、突条壁部（38d）の内面に当たった空気が整流されて室内熱交換器（32）側に流れるような形状に形成される限り、これに限定されない。例えば、突条壁部（38d）の内面を、外側且つ上側に膨出するＲ形状に形成したり、下側に行くに従って外側に直線的に傾斜する傾斜形状に形成したりしてもよい。
【００７０】
また、上記実施形態では、空気調和機（1）の室内ユニット（20）は、天井（U）の開口部（O）に嵌め込まれる天井埋込式に構成されていた。しかしながら、室内ユニット（20）は、天井に吊り下げられ、室内空間（R）に配置される天井吊下式に構成されていてもよい。
【産業上の利用可能性】
【００７１】
以上説明したように、本発明は、空気調和機の室内ユニットについて有用である。
【符号の説明】
【００７２】
１０    空気調和機 
２０    室内ユニット 
２２    ケーシング 
２３    天板 
２７    室内ファン 
３８    本体側断熱部材 
３８ａ  天板側断熱部 
３８ｄ  突条壁部 
３３    吹出口
Ｕ      天井
【図１】
2014215022.tif 000003
【図２】
2014215022.tif 000004
【図３】
2014215022.tif 000005
【図４】
2014215022.tif 000006